(57)【要約】【課題】従来のデジタル放送受信機では、伝搬路の変動する移動受信環境において発生するキャリア間干渉による受信性能の劣化を抑えるため、行列演算などの多大な演算回路・メモリを必要としてしまい、回路実装において大きな問題となっていた。【解決手段】ＦＦＴ部は直交復調信号を時間−周波数変換し、第１伝送路特性生成部は、ＦＦＴ部からの出力信号とフィードバックされた第１伝送路特性信号と第２伝送路特性生成部からの第２伝送路特性信号から第１伝送路特性信号を生成し、第１等化部は第１伝送路特性信号を用いて直交復調信号を等化処理し、第２伝送路特性生成部は第１等化部の出力信号のパイロット信号をもとに第２伝送路特性信号を生成し、第２等化部は前記第１等化部の出力信号を第２伝送路特性信号を用いて等化処理し、誤り訂正部は第２等化部からの出力信号を誤り訂正する。【選択図】図１
2007158877.tif 000002
【特許請求の範囲】
【請求項１】
入力された信号を選局するチューナと、このチューナで選局された信号を直交復調する直交復調部と、この直交復調部から出力された直交復調信号を時間−周波数変換するＦＦＴ部と、第１伝送路特性信号を用いて前記ＦＦＴ部で時間−周波数変換された直交復調信号を等化処理する第１等化部と、この第１等化部からの出力信号のパイロット信号をもとに伝送路特性を推定し第２伝送路特性信号を生成する第２伝送路特性生成部と、前記第２伝送路特性信号を用いて前記第１等化部からの出力信号を等化処理する第２等化部と、前記ＦＦＴ部で時間−周波数変換された直交復調信号と前記第１伝送路特性信号と第２伝送路特性信号とから伝送路特性を推定し第１伝送路特性信号を生成する第１伝送路特性生成部と、前記第２等化部からの出力信号を誤り訂正する誤り訂正部と、この誤り訂正部で誤り訂正された信号をデコードするデコーダ部とを具備するデジタル放送受信機。
【請求項２】
前記第１伝送路特性生成部は、前記ＦＦＴ部で時間−周波数変換された直交復調信号から仮の符号点を示す判定信号を生成する判定信号生成部と、前記第１伝送路特性信号と第２伝送路特性信号とから本デジタル放送受信機の移動状況を示す移動情報を生成する移動情報生成部と、前記判定信号と移動情報とから第１伝送路特性信号を生成する移動伝送路特性生成部とから構成される請求項１記載のデジタル放送受信機。
【請求項３】
前記判定信号生成部は、前記ＦＦＴ部で時間−周波数変換された直交復調信号のパイロット信号をもとに伝送路特性を推定し第３伝送路特性信号を生成する第３伝送路特性生成部と、前記第３伝送路特性信号を用いて前記時間−周波数変換された直交復調信号を等化処理する第３等化部と、この第３等化部で等化処理された信号を硬判定する硬判定部とから構成される請求項２記載のデジタル放送受信機。
【請求項４】
前記判定信号生成部は、前記ＦＦＴ部で時間−周波数変換された直交復調信号のパイロット信号をもとに伝送路特性を推定し第３伝送路特性信号を生成する第３伝送路特性生成部と、前記第３伝送路特性信号を用いて前記時間−周波数変換された直交復調信号を等化処理する第３等化部と、この第３等化部で等化処理された信号を軟判定する軟判定部とから構成される請求項２記載のデジタル放送受信機。
【請求項５】
前記移動伝送路特性生成部は、前記移動情報と判定信号との関係が予め保存された記憶領域から読み出した情報から伝送路特性を推定し、第１伝送路特性信号を生成する請求項２記載のデジタル放送受信機。
【請求項６】
前記移動伝送路特性生成部は、前記移動情報と判定信号との関係を逐次算出した情報から伝送路特性を推定し、第１伝送路特性信号を生成する請求項２記載のデジタル放送受信機。
【請求項７】
前記移動情報はドップラー周波数である請求項２記載のデジタル放送受信機。
【請求項８】
前記移動情報生成部は、前記第１伝送路特性信号と第２伝送路特性信号とから遅延プロファイルを生成し、この遅延プロファイルを時間方向にＦＦＴすることでドップラー周波数を算出する請求項７記載のデジタル放送受信機。
【請求項９】
前記移動情報生成部は、パイロット信号より求めた伝送路特性の時間的な変動具合と移動速度の関係からドップラー周波数を導く請求項７記載のデジタル放送受信機。
【請求項１０】
前記移動情報生成部は、本デジタル放送受信機の速度情報を有する外部速度計と、この外部速度計からの速度情報をもとに前記移動情報を導く請求項２記載のデジタル放送受信機。
【請求項１１】
複数のアンテナを用いて受信した信号をもとに前記復調処理を行う請求項２記載のデジタル放送受信機。
【請求項１２】
入力された信号を直交復調する直交復調ステップと、この直交復調ステップにより生成された直交復調信号を時間−周波数変換するＦＦＴステップと、第１伝送路特性信号で前記ＦＦＴステップにより時間−周波数変換された直交復調信号を等化処理する第１等化ステップと、この第１等化ステップにより生成された第１等化信号のパイロット信号をもとに伝送路特性を推定し第２伝送路特性信号を生成する第２伝送路特性生成ステップと、前記第１等化ステップにより生成された第１等化信号を前記第２伝送路特性信号で等化処理する第２等化ステップと、前記ＦＦＴステップにより時間−周波数変換された直交復調信号と前記第１伝送路特性信号と第２伝送路特性信号とから伝送路特性を推定し第１伝送路特性信号を生成する第１伝送路特性生成ステップと、前記第２等化ステップからの出力信号を誤り訂正する誤り訂正ステップと、この誤り訂正ステップで誤り訂正された信号をデコードするデコーダステップとを具備するデジタル放送の受信方法。
【請求項１３】
入力された信号を直交復調する直交復調部と、この直交復調部から出力された直交復調信号を時間−周波数変換するＦＦＴ部と、第１伝送路特性信号を用いて前記ＦＦＴ部で時間−周波数変換された直交復調信号を等化処理する第１等化部と、この第１等化部からの出力信号のパイロット信号をもとに伝送路特性を推定し第２伝送路特性信号を生成する第２伝送路特性生成部と、前記第２伝送路特性信号を用いて前記第１等化部からの出力信号を等化処理する第２等化部と、前記ＦＦＴ部で時間−周波数変換された直交復調信号と前記第１伝送路特性信号と第２伝送路特性信号とから伝送路特性を推定し第１伝送路特性信号を生成する第１伝送路特性生成部と、前記第２等化部からの出力信号を誤り訂正する誤り訂正部を具備する、デジタル放送受信に関する集積回路。
【発明の詳細な説明】
【技術分野】
【０００１】
本発明は、据え置き型のデジタル放送受信機に限らず、自動車などの移動体においてもデジタル放送信号を受信し、良好な復調処理を行うことができるデジタル放送受信機に関するものである。
【背景技術】
【０００２】
日本の地上波のデジタルテレビ放送はＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  −  Ｔｅｒｒｅｓｔｒｉａｌ）規格に則って配信されている。地上デジタル放送は、主波に対して多数の反射波が影響を及ぼすマルチパス環境での信号伝送となるため、ＩＳＤＢ−Ｔ規格はこのマルチパス環境下において良好な受信を行えるよう作られている。多重方式は、ＯＦＤＭ（Ｏｔｈｏｇｏｎａｌ  Ｆｒｅｑｕｅｎｃｙ  Ｄｉｖｉｓｉｏｎ  Ｍｕｌｔｉｐｌｅｘｉｎｇ）を採用している。ＯＦＤＭでは、直交する複数の狭帯域のキャリアに信号を乗せて伝送するため、１シンボル時間を長く設定でき、遅延波に対する耐性が高く、また周波数選択性フェージングに対しても耐性が高いという特徴を有している。また、有効シンボルの前にガードインターバルと呼ばれる冗長部を取り付けることにより、シンボル間の干渉を抑える工夫がなされている。
【０００３】
ＯＦＤＭ信号には、特定周期ごとに既知信号であるパイロット信号を散在させたスキャッタードパイロット（ＳＰ：Ｓｃａｔｔｅｒｅｄ  Ｐｉｌｏｔ）信号をデータ信号列に挿入している。ＳＰ信号の配置例を図１４に示す。図１４において横軸は周波数軸でサブキャリア、縦軸は時間軸でＯＦＤＭシンボルを示し、白丸がデータ信号を、黒丸がＳＰ信号を示す。１つのＯＦＤＭシンボルにおいてＳＰ信号は１２本のサブキャリアに対し１本の割合で配置される。またＳＰ信号は、ＯＦＤＭシンボル毎に３本のサブキャリアずつシフトされて配置されている。
【０００４】
通常、デジタル放送受信機では前記ＳＰ信号をもとに伝送路の状態を推定し、伝送路通過後の受信信号に等化処理を行う。前記マルチパスにより生ずる伝送路特性歪みを、前記ＳＰ信号をもとに等化する従来の技術として特開平１１−２３９１１５号公報(以下、特許文献１とする)に示されたものがある。
【０００５】
ＩＳＤＢ−Ｔは、据え置き型による固定受信に加えて移動体に搭載されたデジタル放送受信機による移動受信においてもサービスが受けられるよう規格されている。しかしながら、移動受信環境ではフェージングの影響により良好な受信結果を示さないことが起こりえる。これはＯＦＤＭなどのマルチキャリア伝送では、各キャリアにおいて移動に伴うドップラーシフトが発生してキャリア配列の直交性が崩れ、隣り合うキャリアが互いに重畳し、干渉を及ぼしあうキャリア間干渉（ＩＣＩ：Ｉｎｔｅｒ  Ｃａｒｒｉｅｒ  Ｉｎｔｅｒｆｅｒｅｎｃｅ）が起きるからである。
【０００６】
前記特許文献１に記載されている技術は、固定受信の場合において良好な受信結果を得るために必要となる等化処理を行う技術であり、移動受信において問題となるドップラーシフトによるキャリア間干渉の影響を等化することはできない。
【０００７】
前記のようなドップラーシフトによるキャリア間干渉に対して復調処理における受信特性の劣化を防ぐ従来の技術として、特開２００４−２２１７０２号公報(以下、特許文献２とする)に示されたものがある。図１２は前記従来のデジタル放送受信機の構成を示すブロック図である。前記従来のデジタル放送受信機は、アンテナ１１１とチューナ１０８と直交復調部９０１と伝送路推定部９０２とレプリカ作成部９０３とレプリカ除去部９０４と誤り訂正部９０５とデコーダ部１０９と表示部１１０から構成される。
【０００８】
アンテナ１１１から入力され、チューナ１０８で選局された信号を、直交復調部９０１は直交復調し、直交復調信号を伝送路推定部９０２およびレプリカ除去部９０４へ供給する。伝送路推定部９０２は直交復調信号と期待値信号から伝送路状態を推定し、伝送路推定信号をレプリカ作成部９０３とレプリカ除去部９０４へ供給する。レプリカ作成部９０３は期待値信号と伝送路推定信号からＩＣＩレプリカ信号を作成し、レプリカ除去部９０４へ供給する。レプリカ除去部９０４は直交復調信号とＩＣＩレプリカ信号からＩＣＩレプリカ成分を取り除いた復調信号（時間軸）を作るとともに、伝送路推定信号を用いてＩＣＩ残差の抑圧と復調信号の時間−周波数変換を行い、復調信号（周波数軸）を誤り訂正部９０５へ供給する。誤り訂正部９０５は復調信号（周波数軸）の誤り訂正を行って期待値信号を作成し、レプリカ作成部９０３と伝送路推定部９０２へ供給するとともにデコーダ部１０９に供給する。デコーダ部１０９は誤り訂正部９０５で誤り訂正された信号をデコード処理し、デコード処理した信号を表示部１１０へ供給する。
【０００９】
前記従来のデジタル放送受信機の動作について説明する。直交復調部９０１は、アンテナ１１１から入力された信号を直交復調処理することによってＩ−Ｑ複素信号に変換し、Ｉ−Ｑ複素信号の同期を確立し、その後ガードインターバルを除去して伝送路推定部９０２及びレプリカ除去部９０３へ供給する。
【００１０】
図１３に伝送路推定部９０２の構成を示す。伝送路推定部９０２は、遅延部１００１と重み付け部１００２と加算部１００３と減算部１００４とタップ係数生成部１００５と伝送路応答行列生成部１００６から構成される。遅延部１００１は、入力された期待値信号を処理時間単位毎に遅延させ、重み付け部１００２へ供給する。重み付け部１００２は、遅延部１００１から供給された遅延信号にタップ係数生成部１００５から供給されたタップ係数を乗算し、乗算結果を出力として加算部１００３へ供給する。加算部１００３は重み付け部１００２から供給された各タップの乗算結果の総和をとり、減算部１００４へ供給する。減算部１００４は直交復調信号と加算部１００３から供給された信号との誤差を算出し、タップ係数生成部１００５へ供給する。タップ係数生成部１００５は減算部１００４から供給された誤差信号からタップ係数を算出し、重み付け部１００２へ供給して新たなタップ係数にするとともに伝送路応答行列生成部１００６へ供給する。伝送路応答行列生成部１００６はタップ係数生成部１００５から供給されたタップ係数をもとに伝送路応答行列を生成し、伝送路推定部９０２の出力として伝送路応答行列（伝送路推定信号）をレプリカ作成部９０３及びレプリカ除去部９０４へ供給する。伝送路推定部９０２におけるタップ係数の算出は前記処理時間毎にＲＬＳ（Ｒｅｃｕｒｓｉｖｅ  Ｌｅａｓｔ  Ｓｑｕａｒｅ）アルゴリズムを用いて行う。誤り訂正部９０５はレプリカ除去部９０４から供給された信号に対して誤り訂正処理を行って期待値信号を生成し、この期待値信号がレプリカ作成部９０３、伝送路推定部９０２へ供給される。前記の等化処理、復号処理が繰り返し行われて誤り率の向上が図られ、最終的にデコーダ部に供給される。
【００１１】
以上のように、前記従来のデジタル放送受信機は移動受信することにより生じるキャリア間干渉を除去するため受信信号をいったん復号し、すべてのキャリアの復号データをもとに伝送路推定を行う。さらに、同時にＩＣＩ成分を疑似的に作り出し、受信信号から除去する。以上の動作を繰り返すことによって徐々にＩＣＩの影響を低減させ、良好な受信性能を実現することができる。
【特許文献１】特開平１１−２３９１１５号公報
【特許文献２】特開２００４−２２１７０２号公報
【発明の開示】
【発明が解決しようとする課題】
【００１２】
しかしながら、前記従来のデジタル放送受信機ではＲＬＳアルゴリズムを用いて伝送路推定を行うため、行列演算などの多大な演算回路・メモリが必要となり、回路実装において大きな問題となっていた。特に１３セグメントを使用した放送波を受信する場合には、最大で８ｋ×８ｋの行列による演算が複数個必要になり、演算量は膨大なものとなっていた。またフィードバック処理を繰り返すことによりＩＣＩの影響を逐次軽減させていく前記従来のデジタル放送受信機では、フィードバック処理中に受信した信号を蓄えるメモリ量が増大するといった問題やフィードバック処理を1シンボル以内に終える必要があるといった処理時間の問題が生じていた。
【００１３】
そこで本発明はこれらの問題を解決すべく、物理的な回路規模を抑え、１シンボル以内にフィードバック処理を行う必要が無い構成で、移動受信時においてキャリア間干渉が生じている場合に関しても良好な受信結果を示すデジタル放送受信機を提供することを目的とする。
【課題を解決するための手段】
【００１４】
上記課題を解決するために本発明に係るデジタル放送受信機は、入力された信号を選局するチューナと、このチューナで選局された信号を直交復調する直交復調部と、この直交復調部から出力された直交復調信号を時間−周波数変換するＦＦＴ部と、第１伝送路特性信号を用いて前記ＦＦＴ部で時間−周波数変換された直交復調信号を等化処理する第１等化部と、この第１等化部からの出力信号のパイロット信号をもとに伝送路特性を推定し第２伝送路特性信号を生成する第２伝送路特性生成部と、前記第２伝送路特性信号を用いて前記第１等化部からの出力信号を等化処理する第２等化部と、前記ＦＦＴ部で時間−周波数変換された直交復調信号と前記第１伝送路特性信号と第２伝送路特性信号とから伝送路特性を推定し第１伝送路特性信号を生成する第１伝送路特性生成部と、前記第２等化部からの出力信号を誤り訂正する誤り訂正部と、この誤り訂正部で誤り訂正された信号をデコードするデコーダ部とを具備する。
【発明の効果】
【００１５】
以上のように、本発明のデジタル放送受信機は、伝送路の変動する受信環境において、ドップラーシフトにより生ずる伝送路特性とマルチパスにより生ずる伝送路特性を異なる伝送路特性生成部で推定し、各々の伝送路特性信号を生成する。また、伝送路推定に際し、伝送路特性信号をフィードバックすることにより伝送路を推定し、新たな伝送路特性信号を生成する。本構成は、ＲＬＳアルゴリズムを用いる伝送路推定を必要としないため、演算量を抑えた小さな回路規模で伝送路を推定することができる。また伝送路推定に際し、誤り訂正後の信号ではなく、伝送路特性信号をフィードバックする本構成では、現シンボルより前のシンボルにおける伝送路特性信号を用いて現シンボルの伝送路推定を行うことができる。従って、１シンボル以内にフィードバック処理を行う必要がないため、処理時間の制約が緩和される。また、本構成はドップラーシフトにより生ずる伝送路特性とマルチパスにより生ずる伝送路特性の両方の伝送路特性に対し等化処理を行うため、良好な受信結果を示すことができる。以上のように、本発明のデジタル放送受信機は、物理的な回路規模を抑え、１シンボル以内にフィードバック処理を行う必要が無い構成で、移動受信時においてキャリア間干渉が生じている場合に関しても良好な受信結果を示すことができる。
【発明を実施するための最良の形態】
【００１６】
本発明に係るデジタル放送受信機は、入力された信号を選局するチューナと、このチューナで選局された信号を直交復調する直交復調部と、この直交復調部から出力された直交復調信号を時間−周波数変換するＦＦＴ部と、第１伝送路特性信号を用いて前記ＦＦＴ部で時間−周波数変換された直交復調信号を等化処理する第１等化部と、この第１等化部からの出力信号のパイロット信号をもとにマルチパスにより生ずる伝送路特性を推定し第２伝送路特性信号を生成する第２伝送路特性生成部と、前記第２伝送路特性信号を用いて前記第１等化部からの出力信号を等化処理する第２等化部と、前記ＦＦＴ部で時間−周波数変換された直交復調信号と前記第１伝送路特性信号と第２伝送路特性信号とからドップラーシフトにより生ずる伝送路特性を推定し第１伝送路特性信号を生成する第１伝送路特性生成部と、前記第２等化部からの出力信号を誤り訂正する誤り訂正部と、この誤り訂正部で誤り訂正された信号をデコードするデコーダ部を具備する。
【００１７】
前記構成により、本発明のデジタル放送受信機は、伝送路の変動する受信環境において、ドップラーシフトにより生ずる伝送路特性とマルチパスにより生ずる伝送路特性を異なる伝送路特性生成部で推定し、各々の伝送路特性信号を生成する。また、伝送路推定に際し、伝送路特性信号をフィードバックすることにより伝送路を推定し、新たな伝送路特性信号を生成する。本構成は、ＲＬＳアルゴリズムを用いる伝送路推定を使わないため、演算量を抑えた小さな回路規模で伝送路を推定することができる。また伝送路推定に際し、誤り訂正後の信号ではなく、伝送路特性信号をフィードバックする本構成では、現シンボルより前のシンボルにおける伝送路特性信号を用いて現シンボルの伝送路推定を行うことができる。従って、１シンボル以内に繰り返しフィードバック処理を行う必要がないため、処理時間の制約が緩和される。また、本構成はドップラーシフトにより生ずる伝送路特性とマルチパスにより生ずる伝送路特性の両方の伝送路特性に対し等化処理を行うため、良好な受信結果を示すことができる。以上のように、本発明のデジタル放送受信機は、物理的な回路規模を抑え、１シンボル以内にフィードバック処理を行う必要が無い構成で、移動受信時においてキャリア間干渉が生じている場合に関しても良好な受信結果を示すことができる。
【００１８】
また、前記本発明に係わる前記第１伝送路特性生成部は、前記ＦＦＴ部で時間−周波数変換された直交復調信号から仮の符号点を示す判定信号を生成する判定信号生成部と、前記第１伝送路特性信号と第２伝送路特性信号とから本デジタル放送受信機の移動状況を示す移動情報を生成する移動情報生成部と、前記判定信号と移動情報とから第1伝送路特性信号を生成する移動伝送路特性生成部とから構成される。
【００１９】
前記構成により、前記第１伝送路特性生成部は、前記ＦＦＴ部で時間−周波数変換された直交復調信号から現シンボルの判定信号を生成し、以前のシンボルにおける伝送路特性信号から本デジタル放送受信機の移動状況を示す移動情報を生成し、前記判定信号と前記移動情報から、現シンボルにおける第１伝送路特性信号を生成する。ＦＦＴ部で時間−周波数変換された現シンボルの直交復調信号と、以前のシンボルの伝送路特性信号を、直接伝送路推定に用いず、それぞれ判定信号と移動情報という形に変換する。この判定信号と移動情報から伝送路推定を行うことにより、簡単な算出方法で現シンボルの伝送路特性信号を生成することができる。
【００２０】
また、前記本発明に係わる前記判定信号生成部は、前記ＦＦＴ部で時間−周波数変換された直交復調信号のパイロット信号をもとに伝送路特性を推定し第３伝送路特性信号を生成する第３伝送路特性生成部と、前記第３伝送路特性信号を用いて前記時間−周波数変換された直交復調信号を等化処理する第３等化部と、前記第３等化部で等化処理された信号を硬判定する硬判定部とから構成される。
【００２１】
前記構成により、前記判定信号生成部は、前記ＦＦＴ部で時間−周波数変換された直交復調信号に対し等化処理を行い、等化結果を硬判定することによって判定信号を生成する。硬判定した信号を判定信号とすることにより、移動伝送路特性生成部で必要となる計算量を抑えて、第１伝送路特性信号を生成することができる。
【００２２】
また、前記本発明に係わる前記判定信号生成部は、前記ＦＦＴ部で時間−周波数変換された直交復調信号のパイロット信号をもとに伝送路特性を推定し第３伝送路特性信号を生成する第３伝送路特性生成部と、前記第３伝送路特性信号を用いて前記時間−周波数変換された直交復調信号を等化処理する第３等化部と、前記第３等化部で等化処理された信号を軟判定する軟判定部とから構成される。
【００２３】
前記構成により、前記判定信号生成部は、前記ＦＦＴ部で時間−周波数変換された直交復調信号に対し等化処理を行い、等化結果を軟判定することによって判定信号を生成する。軟判定した信号を判定信号とすることにより、前記硬判定を行う場合に比べ、精度の高い第１伝送路特性信号を生成することができる。
【００２４】
また、前記本発明に係わる前記移動伝送路特性生成部は、前記移動情報と判定信号の関係が予め保存された記憶領域から読み出した情報から伝送路特性を推定し、第１伝送路特性信号を生成することを特徴とする。
【００２５】
前記構成により、前記移動伝送路特性生成部において、入力される判定信号の値と移動情報の値に対して、出力する第１伝送路特性信号の値を予め記憶領域に保存しておく。入力された判定信号の値と移動情報の値から対応する第１伝送路特性信号の値を読み出すため、小さな計算量で第１伝送路特性信号を生成することができる。
【００２６】
また、前記本発明に係わる前記移動伝送路特性生成部は、前記移動情報と判定信号との関係を逐次算出した情報から伝送路特性を推定し、第１伝送路特性信号を生成することを特徴とする。
【００２７】
前記構成により、前記移動伝送路特性生成部は、入力される判定信号と移動情報と出力される第１伝送路特性信号との関係を保存しておく記憶領域を必要とせず、また、それぞれのキャリアの判定信号に対してより正確な算出を行えるため、精度の高い伝送路特性を導くことができる。
【００２８】
また、前記本発明に係わる前記移動情報部は、前記第１伝送路特性信号と第２伝送路特性信号から遅延プロファイルを生成し、この遅延プロファイルを時間方向にＦＦＴすることでドップラー周波数を算出することを特徴とする。
【００２９】
前記構成により、遅延プロファイルの移相回転の度合いからドップラー周波数を求めることができる。
【００３０】
また、前記本発明に係わる前記移動情報生成部は、本デジタル放送受信機の速度情報を有する外部速度計と、この外部速度計からの速度情報をもとに前記移動情報を導くことを特徴とする。
【００３１】
前記構成によっても、ドップラー周波数を求めることができる。
【００３２】
また前記本発明に係わる前記移動情報生成部は、パイロット信号より求めた伝送路特性の時間的な変動具合と移動速度の関係からドップラー周波数を導くことを特徴とする。
【００３３】
前記構成によっても、ドップラー周波数を求めることができる。
【００３４】
また前記本発明に係わる複数のアンテナを用いて受信した信号をもとに前記復調処理を行うことを特徴とする。
【００３５】
前記構成により、ダイバーシチ受信を行うことで、より良好な受信結果を得ることができる。
【００３６】
以下、実施の形態を用いて本発明をさらに具体的に説明する。
【００３７】
（実施の形態１）
本発明の、第１の実施の形態におけるデジタル放送受信機について、図面を参照しながら説明する。図１は、本発明のデジタル放送受信機に関する第１の実施の形態の構成図である。
【００３８】
図１の第１の実施の形態のデジタル放送受信機は、ＦＦＴ部１０１と第１等化部１０２と第２等化部１０３と誤り訂正部１０４と第１伝送路特性生成部１０５と第２伝送路特性生成部１０６と直交復調部１０７とチューナ１０８とデコーダ部１０９と表示部１１０とアンテナ１１１とから構成される。
【００３９】
アンテナ１１１から入力された信号は、チューナ１０８で選局され、直交復調部１０７へ出力される。直交復調部１０７は、チューナ１０８から出力された選局信号を直交復調し、直交復調信号をＦＦＴ部１０１へ出力する。ＦＦＴ部１０１は、直交復調信号を時間−周波数変換し、時間−周波数変換された直交復調信号を第１等化部１０２及び第１伝送路特性生成部１０５へ出力する。第１伝送路特性生成部１０５は、ＦＦＴ部１０１で時間−周波数変換された現シンボルの直交復調信号と以前のシンボルにおける第１伝送路特性信号と第２伝送路特性信号とからドップラーシフトにより生ずる現シンボルの伝送路特性を推定し、この推定結果から現シンボルの第１伝送路特性信号を生成する。生成された第１伝送路特性信号は、1段階目の等化処理を行うために第１等化部１０２へ出力され、同時に以後のシンボルにおける第１伝送路特性信号の生成に用いるために第１伝送路特性生成部１０５にフィードバックされる。第１等化部１０２は、ＦＦＴ部１０１で時間−周波数変換された直交復調信号を第１伝送路特性生成部１０５から出力された第１伝送路特性信号で複素除算して第１等化信号を生成し、この第１等化信号を第２等化部１０３及び第２伝送路特性生成部１０６へ出力する。第２伝送路特性生成部１０６は、第１等化部１０２から出力された第１等化信号のパイロット信号をもとにマルチパスにより生ずる現シンボルの伝送路特性を推定し、第２伝送路特性信号を生成する。生成された第２伝送路特性信号は、２段階目の等化処理を行うために第２等化部１０３に出力され、同時に以後のシンボルにおける第１伝送路特性信号を生成するために第１伝送路特性生成部１０５へ出力される。第２等化部１０３は、第１等化部１０２から出力された第１等化信号を第２伝送路特性生成部１０６から供給された第２伝送路特性信号で複素除算して第２等化信号を生成し、この第２等化信号を誤り訂正部１０４へ出力する。誤り訂正部１０４は、第２等化部１０３から供給された第２等化信号を誤り訂正し、訂正処理した信号をデコーダ部１０９へ出力する。デコーダ部１０９は、誤り訂正部１０４から供給された信号をデコード処理し、デコード処理した信号を表示部１１０へ出力する。表示部１１０は、デコーダ部１０９から出力された信号をもとに映像を表示する。
【００４０】
図２に第１伝送路特性生成部１０５の構成の一例を示す。第１伝送路特性生成部１０５は判定信号生成部２０１と移動伝送路特性生成部２０２と移動情報生成部２０３とから構成される。
【００４１】
判定信号生成部２０１は、ＦＦＴ部１０１から供給される時間−周波数変換された現シンボルの直交復調信号から伝送路推定に用いるための判定信号を生成し、移動伝送路特性生成部２０２へ供給する。移動情報生成部２０３は、第１伝送路特性信号と第２伝送路特性信号から本デジタル放送受信機の移動状況を示す移動情報を生成し、現シンボルでの第１伝送路特性信号を生成するため、この移動情報を移動伝送路特性生成部２０２へ供給する。前記移動情報は、現シンボルにおける本デジタル放送受信機の移動状況ではなく、移動情報生成部２０３に入力され、前記移動情報を生成する際に用いられた伝送路特性信号のシンボルにおける本デジタル放送受信機の移動状況を示している。移動伝送路特性生成部２０２は、判定信号生成部２０１から供給された現シンボルの判定信号と、移動情報生成部２０３から供給された以前のシンボルにおける移動情報とから、現シンボルの第１伝送路特性信号を生成する。
【００４２】
前記判定信号生成部２０１で生成される判定信号は、伝送路推定に用いるための仮の符号点を表す信号である。従って判定信号は、移動伝送路特性生成部２０２の構成に応じて様々な形態を採り得る。
【００４３】
図３に判定信号生成部２０１の構成の一例を示す。判定信号生成部２０１は、硬判定部３０１と第３等化部３０２と第３伝送路特性生成部３０３とから構成される。
【００４４】
第３伝送路特性生成部３０３は、ＦＦＴ部１０１から出力される時間−周波数変換された現シンボルの直交復調信号のパイロット信号をもとに第３伝送路特性信号を生成し、この第３伝送路特性信号を第３等化部３０２に出力する。第３等化部３０２は、ＦＦＴ部１０１で時間−周波数変換された直交復調信号を第３伝送路特性生成部３０３から出力される第３伝送路特性信号で複素除算して第３等化信号を生成し、この第３等化信号を硬判定部３０１に出力する。硬判定部３０１は第３等化部３０２から出力される第３等化信号を硬判定し、硬判定結果を判定信号として出力する。
【００４５】
図５に第３伝送路特性生成部３０３の構成を示す。第３伝送路特性生成部３０３は、パイロット抽出部５０１とパイロット発生部５０２と複素除算部５０３と時間補間部５０４と周波数補間部５０５とから構成される。
【００４６】
パイロット発生部５０２は、送信側と同じ振幅・位相をもつパイロット信号を発生し、このパイロット信号を複素除算部５０３へ出力する。パイロット抽出部５０１は、ＦＦＴ部１０１から供給された時間−周波数変換された直交部復調信号からパイロット信号を抜き出して複素除算部５０３へ出力する。複素除算部５０３は、パイロット抽出部５０１で抽出されたパイロット信号を、パイロット発生部５０２から出力されたパイロット信号で複素除算して伝送路によるパイロット信号の変動具合を算出し、算出結果を時間軸補間部５０４へ出力する。時間軸補間部５０４は、複素除算部５０３から出力された伝送路によるパイロット信号の変動具合をシンボル方向に補間してパイロット信号以外のデータ信号における伝送路における変動具合を算出し、補間結果を周波数軸補間部５０５へ出力する。周波数軸補間部５０５は、時間軸補間部５０４から出力された補間結果をさらにキャリア方向に補間して全データ信号における変動具合を算出し、算出結果を伝送路特性信号として第３等化部３０２へ出力する。
【００４７】
パイロット信号を用いた伝送路特性信号の導出過程を以下に示す。
【００４８】
ｍ番目のシンボルのｋ番目のキャリアを用いて伝送する信号をＸ（ｍ、ｋ）とし、受信された信号をＹ（ｍ、ｋ）、この信号に対する伝送路特性信号をＨ（ｍ、ｋ）とする。データ信号のサブキャリアをｋｄ、パイロット信号のサブキャリアをｋｐと表現すると、複素除算部５０３で算出される伝送路特性信号Ｈ（ｍ、ｋｐ）は以下の式で表現することができる。
【００４９】
【数１】
2007158877.tif 000003
【００５０】
前記伝送路特性信号Ｈ（ｍ、ｋｐ）は、時間軸補間部５０４においてシンボル間のフィルタＦｓで、周波数軸補間部５０５においてキャリア間のフィルタＦｃで、それぞれフィルタリングされることにより、以下のＨ（ｍ、ｋｄ）で表現できる。なお、＊は畳み込み演算を表す。
【００５１】
【数２】
2007158877.tif 000004
【００５２】
現実のデジタル放送受信機では受信信号に雑音Ｎ（ｍ、ｋ）が付加されるので、雑音を含む受信信号Ｙｎ（ｍ、ｋ）は以下の式で表現される。
【００５３】
【数３】
2007158877.tif 000005
【００５４】
したがって雑音を含む受信パイロット信号の伝送路特性信号は以下の式のように表される。
【００５５】
【数４】
2007158877.tif 000006
【００５６】
Ｈｎ（ｍ、ｋｄ）に対して時間軸補間、周波数軸補間を行うと雑音を含む受信データ信号に作用する伝送路特性信号は以下の式で表現される。
【００５７】
【数５】
2007158877.tif 000007
【００５８】
前記伝送路特性信号Ｈｎ（ｍ、ｋｄ）を第３等化部３０２へ出力する。
【００５９】
硬判定部３０１は、図１０に示すような変調方式に応じたマッピング点に対し、等化結果との符号間距離が最も短くなる符号点に等化結果を帰着させ、その結果を判定信号として移動伝送路特性生成部２０２へ供給する。
【００６０】
図４は判定信号生成部２０１の別の構成の一例である。この構成によれば、判定信号生成部２０１は軟判定部４０１と第３等化部３０２と第３伝送路特性生成部３０３とから構成される。
【００６１】
軟判定部８０１は、第３等化部３０２から供給された等化結果に対してデインターリーブ、ビタビ復号、リードソロモン復号といった処理のうち1つもしくは複数の処理を施し、処理結果を判定信号として移動伝送路特性生成部２０２へ供給する。軟判定部４０１での処理にはデインターリーブ処理のように処理遅延が大きな処理があり、第一等化部１０２での処理と処理時間に大きなずれを生じてしまうため、対象シンボルのずれを抑えるために第一等化部１０２の入力段に付記しない時間調整用の遅延回路を設ける必要がある。また必要に応じて畳み込み符号化やインターリーブ処理を行い、対象キャリアの配列を合わせる必要がある。軟判定結果を用いた判定信号は、硬判定結果を用いた判定信号に比べて精度の高い判定結果となる。
【００６２】
図６に移動情報生成部２０３の構成の一例を示す。移動情報生成部２０３は、伝送路特性合成部６０１と遅延プロファイル生成部６０２とｆｄ算出部６０３とから構成される。
【００６３】
伝送路特性合成部６０１は、移動伝送路特性生成部２０２から供給された第１伝送路特性信号と第２伝送路特性生成部１０６から供給された第２伝送路特性信号とを複素乗算して伝送路特性合成信号を生成し、遅延プロファイル生成部６０２へ供給する。遅延プロファイル生成部６０２は、伝送路特性合成部６０１から供給された伝送路特性合成信号のパイロット信号選択した後に、ＩＦＦＴ処理することにより遅延プロファイルを生成してｆｄ算出部６０３へ供給する。ここで、移動に伴う伝搬はレベルの強い到来波の変動が少なくドップラーシフト量以外は一定であるとみなすと、同一遅延時間における遅延プロファイルは観測時間に連れてドップラーシフト量に見合う位相回転を生じることになる。そこで、ｆｄ算出部６０３は、遅延プロファイル生成部６０２から供給された遅延プロファイルを時間方向にＦＦＴすることでドップラー周波数を算出することができ、このドップラー周波数を移動情報生成部の出力として移動伝送路特性生成部２０２へ供給する。ｆｄ算出部６０３でのＦＦＴは数シンボル単位で行い、ＦＦＴ単位は１シンボルおきにスライディング積分することで、ドップラー周波数の急激な変動が生じないように逐次更新するようにする。
【００６４】
また、移動情報生成部２０３は、遅延プロファイル生成部６０２に第１伝送路特性信号と第２伝送路特性信号を供給し、それぞれの伝送路特性信号に対する２つの遅延プロファイルを生成し、その後これらの遅延プロファイルを合算してｆｄ算出部６０３に供給することによりドップラー周波数を求めるように構成されていても良い。
【００６５】
移動伝送路特性生成部２０２の動作原理について図１５を用いて説明する。ここで移動情報生成部２０３から供給される移動情報はドップラー周波数であるとする。ドップラーシフトがない場合は、図１５（Ａ）のようにＯＦＤＭ信号は各キャリアが直交関係にあるため、隣接キャリアからの漏れ込みがない値を各キャリアの値として読み出すことができる。しかしながら、ドップラーシフトがある場合は、図１５（Ｂ）のようにＯＦＤＭ信号の各キャリアが周波数シフトするため、隣接キャリアからの漏れ込み信号を含んだ値を各キャリアの値として読み出すことになる。このとき、隣接するキャリアのドップラーシフト量がほぼ同じとなるフラットフェージングであると見なす。そこでドップラーシフトによる影響を求めるために、以下のような処理を行う。ここで隣接キャリアからの漏れ込みを含んだキャリアの硬判定結果を判定信号とする。判定信号は符号点の仮の値を示すものであり、マルチパスとドップラーシフトの影響を含んでいる。この判定信号とドップラーシフトの影響を考慮するため、移動情報生成部２０３から供給されたドップラー周波数をもとに隣接キャリアからの漏れ込みを含んだ値Ａを求め、一方、隣接キャリアからの漏れ込みなしの値Ｂは判定信号から求め、両者の値を用いてドップラーシフトによる伝送路特性を算出する。このときあるキャリアでの伝送路特性Ｈ１（ω）は
【００６６】
【数６】
2007158877.tif 000008
【００６７】
として表現することができる。以上の処理をシンボルの全キャリアで行うことでＯＦＤＭシンボル全体の伝送路特性を求めることができる。
【００６８】
具体的な第１の実現方法としては、隣接キャリアからの漏れ込みを含んだ読み出し値をドップラー周波数毎に算出して、テーブルとしてＲＯＭに蓄えておき、それを読み出すことで漏れ込み量を求める方法がある。一例として図１０の１６ＱＡＭで変調し、ドップラー周波数が１００Ｈｚの場合の各符号点の読み出し値を図１１に示す。なお，前記テーブルは移動速度や位置情報の時間的変化量など，移動の程度を示す移動情報であればドップラー周波数に限定する必要はない。また移動情報は離散的な値をとることでテーブルの大きさを小さくすることが可能である。その際，移動情報が離散値間の場合には，最も近い離散値の値を用いてもよいし，あるいは移動情報よりも小さな最も近い離散値の値，もしくは移動情報より大きな最も近い離散値の値を用いてもよい。
【００６９】
また第２の実現方法としては、隣接キャリアからの漏れ込みを含んだ読み出し値を逐次算出する方法がある。周波数をx、被影響キャリア周波数をｋ、キャリア間隔をα、ドップラー周波数をｆｄ、被影響キャリアの符号点の大きさをβ０、隣接キャリアの符号点の大きさをそれぞれβ１、β２とすると漏れ込みを含んだ被影響キャリアの読み出し値Ｘは以下の式で表現できる。
【００７０】
【数７】
2007158877.tif 000009
【００７１】
ここでβnの個数、値は変調方式のよって変化し、ＱＰＳＫでは−１、１の2通り、１６ＱＡＭでは−３、−１、１、３の4通り、６４ＱＡＭでは−７、−５、−３、−１、１、３、５、７の８通りの値をとり得る。なお、伝送路特性Ｈ１（ω）は複素数であるため、以上の処理は実軸、虚軸の両方で行う必要がある。
【００７２】
以上のような構成により、第１伝送路特性生成部１０５は、ドップラーシフトにより生ずる伝送路特性を推定し、第１伝送路特性信号を生成することができる。
【００７３】
第１等化部１０２は、ＦＦＴ部１０１から供給された時間−周波数変換された直交復調信号を、第１伝送路特性生成部１０５からの出力である第１伝送路特性信号で複素除算することで第１等化信号を生成し、この第1等化信号を第２等化部１０３及び第２伝送路特性生成部１０６へ供給する。第２伝送路特性生成部１０６は、第３伝送路特性生成部３０３と同様に、入力された信号のパイロット信号を用いて第２伝送路特性信号を生成し、この第２伝送路特性信号を第２等化部１０３及び第１伝送路特性生成部１０５へ出力する。第２等化部１０３は、第１等化部１０２から出力された第１等化信号を、第２伝送路特性生成部１０６から出力された第２伝送路特性信号で複素除算することで第２等化信号を生成し、その結果を誤り訂正部１０４へ供給する。
【００７４】
誤り訂正部１０４は、第2等化部から出力された第2等化信号を誤り訂正し、訂正処理した信号をデコーダ部１０９へ供給する。デコーダ部１０９は誤り訂正部１０４から供給された信号をデコード処理し、デコード処理した信号を表示部１１０へ供給する。表示部１１０はデコーダ部１０９から供給された信号をもとに映像を表示する。
【００７５】
以上のように、本実施の形態の本発明のデジタル放送受信機は、伝送路の変動する受信環境において、ドップラーシフトにより生ずる伝送路特性とマルチパスにより生ずる伝送路特性を異なる伝送路特性生成部で推定し、各々の伝送路特性信号を生成する。また、伝送路推定に際し、伝送路特性信号をフィードバックすることにより伝送路を推定し、新たな伝送路特性信号を生成する。本実施の形態は、ＲＬＳアルゴリズムを用いる伝送路推定を必要としないため、演算量を抑えた小さな回路規模で伝送路を推定することができる。また伝送路推定に際し、伝送路特性信号をフィードバックするため、現シンボルより前のシンボルにおける伝送路特性信号を用いて現シンボルの伝送路推定を行うことができる。従って、１シンボル以内に繰り返しフィードバック処理を行う必要がないため、処理時間の制約が緩和される。また、本構成はドップラーシフトにより生ずる伝送路特性とマルチパスにより生ずる伝送路特性の両方の伝送路特性に対し等化処理を行うため、良好な受信結果を示すことができる。以上のように、本実施の形態のデジタル放送受信機は、物理的な回路規模を抑え、１シンボル以内にフィードバック処理を行う必要が無い構成で、移動受信時においてキャリア間干渉が生じている場合に関しても良好な受信結果を示すことができる。
【００７６】
（実施の形態２）
本発明の第２の実施の形態におけるデジタル放送受信機について、図面を参照しながら説明する。図７は、本発明のデジタル放送受信機の第２の実施の形態の構成図である。
【００７７】
図７の第２の実施の形態のデジタル放送受信機は、ＦＦＴ１０１部と第１等化部１０２と第２等化部１０３と誤り訂正部１０４と第１伝送路特性生成部１０５と第２伝送路特性生成部１０６と伝送路特性合成部７０１と直交復調部１０７チューナと１０８とデコーダ部１０９と表示部１１０とアンテナ１１１とから構成される。
【００７８】
アンテナ１１１から入力された信号は、チューナ１０８で選局され、直交復調部１０７へ供給される。直交復調部１０７は、チューナ１０８から供給された選局信号を直交復調し、直交復調信号をＦＦＴ部１０１へ供給する。ＦＦＴ部１０１は、直交復調信号を時間−周波数変換し、時間−周波数変換された直交復調信号を第１等化部１０２、第１伝送路特性生成部１０５及び第２等化部１０３へ供給する。第１伝送路特性生成部１０５は、第１の実施の形態の場合と同様、ＦＦＴ部１０１で時間−周波数変換された現シンボルの直交復調信号と以前のシンボルの第１伝送路特性信号と第２伝送路特性信号とからドップラーシフトにより生ずる現シンボルの伝送路特性を推定し、この推定結果から現シンボルの第１伝送路特性信号を生成する。生成された第１伝送路特性信号は、第1伝送路特性生成部１０５へフィードバックされると共に第１等化部１０２及び伝送路特性合成部７０１へ出力される。第１等化部１０２は、ＦＦＴ部１０１で時間−周波数変換された直交復調信号を、第１伝送路特性生成部１０５から出力された第１伝送路特性信号で複素除算して第１等化信号を生成し、第２伝送路特性生成部１０６へ供給する。第２伝送路特性生成部１０６は第１等化部１０２から出力された第１等化信号のパイロット信号をもとに伝送路特性を推定し、第２伝送路特性信号として第１伝送路特性生成部１０５及び伝送路特性合成部７０１へ供給する。伝送路特性合成部７０１は、第１伝送路特性信号と第２伝送路特性信号を複素乗算することにより、伝送路特性合成信号を生成し、第２等化部１０３へ供給する。伝送路特性合成信号は、この受信環境における全伝送路特性を示している。
【００７９】
第２等化部１０３は、ＦＦＴ部１０１で時間−周波数変換された直交復調信号を、伝送路特性合成部７０１から出力された伝送路特性合成信号で複素除算して第２等化信号を生成し、その結果を誤り訂正部１０４へ供給する。
【００８０】
誤り訂正部１０４は、第２等化部１０３から供給された信号を誤り訂正し、訂正処理した信号をデコーダ部１０９へ供給する。デコーダ部１０９は、誤り訂正部１０４から供給された信号をデコード処理し、デコード処理した信号を表示部１１０へ供給する。表示部１１０は、デコーダ部１０９から供給された信号をもとに映像を表示する。なお、それぞれの構成要素の具体的構成は実施の形態１の場合と同様である。同一の構成部分の説明は省略する。
【００８１】
以上、第２の実施の形態の本発明のデジタル放送受信機においても、第１の実施の形態と同様、ＲＬＳアルゴリズムを用いる伝送路推定を行なわないため、演算量を抑えた小さな回路規模で伝送路を推定することができる。また伝送路推定に際し、伝送路特性信号をフィードバックするため、現シンボルより前のシンボルにおける伝送路特性信号を用いて現シンボルの伝送路推定を行うことができる。従って、１シンボル以内に繰り返しフィードバック処理を行う必要がないため、処理時間の制約が緩和される。また、本構成は、ドップラーシフトにより生ずる伝送路特性とマルチパスにより生ずる伝送路特性の両方の伝送路特性に対し等化処理を行うため、良好な受信結果を示すことができる。以上のように、本実施の形態のデジタル放送受信機は、物理的な回路規模を抑え、１シンボル以内にフィードバック処理を行う必要が無い構成で、移動受信時においてキャリア間干渉が生じている場合に関しても良好な受信結果を示すことができる。
【００８２】
（実施の形態３）
本発明の第３の実施の形態におけるデジタル放送受信機について、図面を参照しながら説明する。図８は、本発明のデジタル放送受信機の第３の実施の形態の構成図である。
【００８３】
図８の第３の実施の形態のデジタル放送受信機は、ＦＦＴ１０１部と第１等化部１０２と第２等化部１０３と誤り訂正部１０４と第１伝送路特性生成部８０１と第２伝送路特性生成部１０６と伝送路特性合成部７０１と直交復調部１０７チューナと１０８とデコーダ部１０９と表示部１１０とアンテナ１１１とから構成される。
【００８４】
アンテナ１１１から入力された信号は、チューナ１０８で選局され、直交復調部１０７へ供給される。直交復調部１０７は、チューナ１０８から供給された選局信号を直交復調し、直交復調信号をＦＦＴ部１０１へ供給する。ＦＦＴ部１０１は、直交復調信号を時間−周波数変換し、時間−周波数変換された直交復調信号を第１等化部１０２、第１伝送路特性生成部８０１及び第２等化部１０３へ供給する。第１伝送路特性生成部８０１は、ＦＦＴ部１０１で時間−周波数変換された現シンボルの直交復調信号と伝送路特性合成部７０１で生成された以前のシンボルの伝送路特性合成信号とからドップラーシフトにより生ずる現シンボルの伝送路特性を推定し、この推定結果から現シンボルの第１伝送路特性信号を生成する。
【００８５】
図９に第１伝送路特性生成部８０１の構成の一例を示す。第１伝送路特性生成部８０１は、判定信号生成部２０１と移動伝送路特性生成部２０２と移動情報生成部９０１とから構成される。
【００８６】
判定信号生成部２０１は、ＦＦＴ部１０１から供給される時間−周波数変換された現シンボルの直交復調信号から伝送路推定に用いるための判定信号を生成し、移動伝送路特性生成部２０２へ供給する。移動情報生成部９０１は、伝送路特性合成部７０１から出力された伝送路特性合成信号から本デジタル放送受信機の移動状況を示す移動情報を生成し、移動伝送路特性生成部２０２に出力する。なお、前記移動情報生成部９０１は、入力された伝送路特性信号の遅延プロファイルを生成し、この遅延プロファイルを時間方向にＦＦＴすることでドップラー周波数を算出し、前記移動情報とするように構成されていてもよい。
【００８７】
移動伝送路特性生成部２０２は、判定信号生成部２０１から供給された現シンボルの判定信号と、移動情報生成部９０１から供給された以前のシンボルにおける移動情報とから、現シンボルの第１伝送路特性信号を生成する。
【００８８】
生成された第１伝送路特性信号は、第１等化部１０２及び伝送路特性合成部７０１へ出力される。第１等化部１０２は、ＦＦＴ部１０１で時間−周波数変換された直交復調信号を、第１伝送路特性生成部１０５から出力された第１伝送路特性信号で複素除算して第１等化信号を生成し、第２伝送路特性生成部１０６へ供給する。第２伝送路特性生成部１０６は第１等化部１０２から出力された第１等化信号のパイロット信号をもとに伝送路特性を推定し、第２伝送路特性信号として伝送路特性合成部７０１へ供給する。伝送路特性合成部７０１は、第１伝送路特性信号と第２伝送路特性信号を複素乗算することにより、伝送路特性合成信号を生成し、第２等化部１０３及び第１伝送路特性生成部１０５へ出力する。伝送路特性合成信号は、この受信環境における全伝送路特性を示している。第２等化部１０３は、ＦＦＴ部１０１で時間−周波数変換された直交復調信号を、伝送路特性合成部７０１から出力された伝送路特性合成信号で複素除算して第２等化信号を生成し、その結果を誤り訂正部１０４へ供給する。
【００８９】
誤り訂正部１０４は、第２等化部１０３から供給された信号を誤り訂正し、訂正処理した信号をデコーダ部１０９へ供給する。デコーダ部１０９は、誤り訂正部１０４から供給された信号をデコード処理し、デコード処理した信号を表示部１１０へ供給する。表示部１１０は、デコーダ部１０９から供給された信号をもとに映像を表示する。なお、それぞれの構成要素の具体的構成は実施の形態１の場合と同様である。同一の構成部分の説明は省略する。
【００９０】
以上、第３の実施の形態の本発明のデジタル放送受信機においても、第１の実施の形態と同様、ＲＬＳアルゴリズムを用いる伝送路推定を行なわないため、演算量を抑えた小さな回路規模で伝送路を推定することができる。また伝送路推定に際し、伝送路特性信号をフィードバックするため、現シンボルより前のシンボルにおける伝送路特性信号を用いて現シンボルの伝送路推定を行うことができる。従って、１シンボル以内に繰り返しフィードバック処理を行う必要がないため、処理時間の制約が緩和される。また、本構成は、ドップラーシフトにより生ずる伝送路特性とマルチパスにより生ずる伝送路特性の両方の伝送路特性に対し等化処理を行うため、良好な受信結果を示すことができる。以上のように、本実施の形態のデジタル放送受信機は、物理的な回路規模を抑え、１シンボル以内にフィードバック処理を行う必要が無い構成で、移動受信時においてキャリア間干渉が生じている場合に関しても良好な受信結果を示すことができる。
【００９１】
なお本願の実施の形態１〜３で説明したデジタル放送受信機において、移動情報生成部１０７の構成はこれに限る必要はなく、本デジタル放送受信機の速度情報を有する外部速度計から供給された速度情報をもとにｆｄ＝ｖ・ｃｏｓθ／λの関係式を用いてドップラー周波数を生成することも可能である。ここでｖは移動速度、θは移動方向と受信波の到来方向との角度、λは受信周波数である。
【００９２】
また、パイロット信号を用いて求めた伝送路特性の時間的な変動具合を相対的な移動速度とし、この変動具合をドップラー周波数とすることもできる。すなわちパイロット信号はフェージングの影響を受けると周波数シフトを生じ、振幅が一定にならずに乱れる。この乱れ具合を伝送路特性の時間変化による変動の大きさとして算出することで、ドップラー周波数を求めることができる。
【００９３】
本発明の実施の形態１〜３で説明したデジタル放送受信機において、移動伝送路特性生成部２０２において、第１伝送路特性信号を求める際に、被影響キャリアへ影響を及ぼすキャリアの数を隣接する２キャリアのみとして説明したが、それに限定する必要はなく、ｎ（ｎ＞１）キャリア離れたキャリアからの影響を考慮にいれてテーブル、算出式を作成してもよい。また、あるドップラー周波数まではテーブルを使用し、それ以上のドップラー周波数に関しては算出式を使用するというように、テーブルと算出式を組み合わせる構成を採用してもよい。
【００９４】
なお、本発明の実施の形態１〜３で説明したデジタル放送受信機において、受信するアンテナは1本である必要はなく、複数本のアンテナで受信するダイバーシチ受信を行ってもよい。
【００９５】
なお、本発明の実施の形態１〜３で説明したデジタル放送受信機において、アンテナ、チューナ、デコーダ部、表示部を除いた構成で集積回路化したものにおいてもドップラーシフトを伴う環境において良好な受信特性を示すことができる。
【産業上の利用可能性】
【００９６】
本発明のデジタル放送受信機はデジタルＴＶ放送、デジタルラジオ放送などの移動体用の受信装置として有用である。
【図面の簡単な説明】
【００９７】
【図１】本発明のデジタル放送受信機の第1の実施の形態の構成を示すブロック図
【図２】同、第１伝送路特性生成部の内部構造を示したブロック図
【図３】同、判定信号生成部の内部構造を示したブロック図
【図４】同、判定信号生成部の別の形態における内部構造を示したブロック図
【図５】同、第３の伝送路特性生成部の内部構造を示したブロック図
【図６】同、移動情報生成部の内部構造を示したブロック図
【図７】本発明のデジタル放送受信機の第２の実施の形態の構成を示すブロック図
【図８】本発明のデジタル放送受信機の第３の実施の形態の構成を示すブロック図
【図９】同、第１伝送路特性生成部の内部構造を示したブロック図
【図１０】１６ＱＡＭ変調方式におけるマッピング図
【図１１】符号点におけるＩＣＩ漏れ込みを含んだ読み出し値を示す図
【図１２】従来のデジタル放送受信機の構成を示すブロック図
【図１３】従来のデジタル放送受信機の伝送路推定部の構成を示すブロック図
【図１４】ＯＦＤＭ信号のキャリア配置を示したブロック図
【図１５】ドップラーシフトによる漏れ込み量を示す周波数スペクトラム図
【符号の説明】
【００９８】
１０１    ＦＦＴ部
１０２    第１等化部
１０３    第２等化部
１０４    誤り訂正部
１０５    第１伝送路特性生成部
１０６    第２伝送路特性生成部
１０７    直交復調部
１０８    チューナ
１０９    表示部
１１１    アンテナ
２０１    判定信号生成部
２０２    移動伝送路特性生成部
２０３    移動情報生成部
３０１    硬判定部
３０２    第３等化部
３０３    第３伝送路特性生成部
４０１    軟判定部
５０１    パイロット抽出部
５０２    パイロット発生部
５０３    複素除算部
５０４    時間軸補間部
５０５    周波数軸補間部
６０１    伝送路特性合成部
６０２    遅延プロファイル生成部
６０３    ｆｄ算出部
７０１    伝送路特性合成部
８０１    第１伝送路特性生成部
９０１    移動情報生成部
【図１】
2007158877.tif 000010
【図２】
2007158877.tif 000011
【図３】
2007158877.tif 000012
【図４】
2007158877.tif 000013
【図５】
2007158877.tif 000014
【図６】
2007158877.tif 000015
【図７】
2007158877.tif 000016
【図８】
2007158877.tif 000017
【図９】
2007158877.tif 000018
【図１０】
2007158877.tif 000019
【図１１】
2007158877.tif 000020
【図１２】
2007158877.tif 000021
【図１３】
2007158877.tif 000022
【図１４】
2007158877.tif 000023
【図１５】
2007158877.tif 000024